(57)【要約】  本発明は、受信機の判定電気レベルを最適に調整する方法及びその装置を開示する。前記方法は、光受信機が受信した光パワーをモニタリングし、光パワーの変化幅が予め設定された数値より大きいかどうかを判断し、判断結果が「是」であれば、光パワーに基づいて判定電気レベルの現在の初期値を更新し、光受信機の出力端から伝送したシグナルの誤差シグナルを取得し、誤差シグナルに基づいて判定電気レベルを調整する必要があるかどうかを判断し、判断結果が「是」であれば、現在の初期値に基づいて誤差シグナルに対して更なる分析を行い、分析結果を取得し、判断結果が「否」であれば、直ちに実行プログラムから抜け出し、分析結果に基づいて、現在の初期値から判定電気レベルを調整すること、を含む。前記方法とその装置は、受信した光パワーをモニタリングし、受信した光パワーに基づいて判定電気レベルの初期値を設定することで、光パワーの変化により長時間判定電気レベルの初期値を捜索してシステムサービスの中断を引き起こすことを免れ、システムの安定性を大きく向上させる。
2012502568.tif 000002
【特許請求の範囲】
【請求項１】
光受信機が受信した光パワーをモニタリングするステップと、
前記光パワーの変化幅が予め設定された数値より大きいかどうかを判断し、判断結果が「是」であれば、前記光パワーに基づいて判定電気レベルの現在の初期値を更新するステップと、
前記光受信機の出力端から、伝送されたシグナルの誤差シグナルを取得するステップと、
前記誤差シグナルに基づいて判定電気レベルを調整する必要があるかどうかを判断し、判断結果が「是」であれば、前記現在の初期値に基づいて前記誤差シグナルに対して更なる分析を行い、分析結果を取得し、判断結果が「否」であれば、直ちに実行プログラムから抜け出すステップと、
前記分析結果に基づいて、前記現在の初期値から前記判定電気レベルを調整するステップとを含む
ことを特徴とする受信機の判定電気レベルを最適に調整する方法。
【請求項２】
光受信機が受信した光パワーをモニタリングするステップの前に、
シグナル損失LOSとフレーム損失LOF状態のモニターを行うステップと、
LOSまたはLOFの状況が存在するかどうかを判断し、判断結果が「是」であれば、実行プログラムから抜け出すステップ、をさらに含む
ことを特徴とする請求項１に記載の方法。
【請求項３】
前記現在の初期値から前記判定電気レベルを調整するステップの後に、
改めて、前記光受信機の出力端から、伝送されたシグナルの誤差シグナルを取得するステップをさらに含む
ことを特徴とする請求項１に記載の方法。
【請求項４】
前記分析結果を取得するステップは、
判定電気レベルの調整方向を確定し、及び
判定電気レベルの調整幅を確定することを含む
ことを特徴とする請求項１に記載の方法。
【請求項５】
前記判定電気レベルの調整幅を確定するステップは、
前記誤差シグナルに基づいて前記判定電気レベルの調整幅を計算し、誤差シグナルが比較的大きい時、比較的大きい調整幅を取得し、誤差シグナルが比較的小さい時、比較的小さい調整幅を取得することを含む
ことを特徴とする請求項４に記載の方法。
【請求項６】
前記判定電気レベルの調整幅を確定するステップは、プリストアした調整幅データから前記判定電気レベルの調整幅の数値を読み取ることを含む
ことを特徴とする請求項４に記載の方法。
【請求項７】
光受信機が受信した光パワーをモニタリングすることに用いられる受信パワーモニターモジュールと、
前記受信パワーモニターモジュールに接続して、前記光パワーと予め設定した数値を比較し、比較結果に基づいて、判定電気レベルの現在の初期値に対して改めて調整して設定することに用いられる初期値設定モジュールと、
前記光受信機の出力端に接続されて、前記光受信機から、伝送されたシグナルの誤差シグナルを取得することに用いられる誤差シグナル取得モジュールと、
前記誤差シグナル取得モジュールに接続されて、前記誤差シグナルに基づいて、判定電気レベルを調整する必要があるかどうかを判断し、前記誤差シグナルに対して更なる分析を行い、分析結果を取得することに用いられる誤差シグナル分析モジュールと、
前記誤差シグナル分析モジュールに接続されて、前記分析結果に基づいて、前記現在の初期値から前記光受信機の判定電気レベルを調整することに用いられる判定電気レベル調整モジュールとを含む
ことを特徴とする受信機の判定電気レベルを最適に調整する装置。
【請求項８】
前記初期値設定モジュールが前記現在の初期値を調整して設定する方法は、係数の修正による方式、またはプリストアしたデータテーブルから読み取る方式であり、前記プリストアデータテーブルのデータは実験によって得た異なる光パワー下での判定電気レベル初期値の最適な数値である
ことを特徴とする請求項７に記載の装置。
【請求項９】
前記誤差シグナル分析モジュールが取得した分析結果は判定電気レベルの調整方向と判定電気レベルの調整幅を確定する
ことを含むことを特徴とする請求項７に記載の装置。
【請求項１０】
前記判定電気レベル調整幅は誤差シグナルに基づいて計算して取得され、またはプリストアした調整幅データから取得される
ことを特徴する請求項９に記載の装置。
【発明の詳細な説明】
【技術分野】
【０００１】
本発明は、デジタル通信システム分野に関し、特にデジタル通信システムにおいて受信機の判定電気レベルを最適に調整するために用いられる方法及びその方法を採用して判定電気レベルを調整する装置に関する。
【背景技術】
【０００２】
受信機の判定電気レベルの最適化調整は、デジタル通信システムにおいてシステム性能を向上させる一つの重要な技術であって、判定電気レベルの最適化調整により、効果的にシステムのビットエラー率を下げ、システムのノイズマージンを向上させることができる。伝統的な電気通信システムまたは背中合わせ（Bk-Bk）の光通信システムにおいて、シグナル１とシグナル０上のノイズは基本的に違いがないので、判定電気レベルは平均値、即ち５０％であってもよい。しかし、伝送後の光通信システムに対して、光増幅器が引き起こしたノイズ、光ファイバー分散及び光ファイバーの非線形効果などの要素の影響で、シグナル１上のノイズがシグナル０上のノイズより大きい事態が引き起こされるので、最適な判定電気レベルの位置はもはや５０％ではなく、シグナル０により近づき、従って、判定電気レベルに対して自動的に最適化調整を行うことが要求される。
【０００３】
受信機内の振幅制限増幅器には、自動ゲイン制御機能付きと自動ゲイン制御機能なしの二種類があり、自動ゲイン制御機能付きの受信機に対しては、光シグナルを受信して電気シグナルに変換し、自動ゲイン制御することが、シグナル振幅に標準化を行うことに相当するため、判定電気レベル値は受信した光パワーの大きさと関係がないが、自動ゲイン制御機能なしの受信機に対しては、光シグナルを受信して変換した電気シグナルの振幅が受信した光パワーの大きさと関係があるから、判定電気レベル値は受信した光パワーの大きさと関係がある。現有の判定電気レベルを自動的に最適化調整する各方法は、一つの初期値から判定電気レベルの最適化を行う必要がある。自動ゲイン制御機能付きの受信機に対しては、判定電気レベル値は、受信した光パワーと関係がなく、判定電気レベルの位置が近接していて、狭い範囲で微調整するだけでよいので、現有の判定電気レベルの自動最適化調整方法は安定的に動くことができる。しかし、自動ゲイン制御機能なしの受信機に対しては、判定電気レベル値が受信光パワーの大きさと密接に関連するので、受信光パワーの変化が比較的大きい場合、判定電気レベル値の偏差が大きすぎ、システムにフレーム損失（LOF）が生じる恐れがあって、いったんLOFが現れると、現有の様々な判定電気レベルの自動最適化調整方法は、全体的捜索方法でLOF状態を解消できる判定電気レベルを捜索して初期値にしてから判定電気レベルの最適化調整を行わなければならないため、必ず比較的長い時間を消費し、システムの長時間の中断を引き起こす。
【発明の概要】
【発明が解決しようとする課題】
【０００４】
本発明は、受信機の判定電気レベルを最適に調整する方法及びその方法を採用して判定電気レベルを調整する装置を提供し、前記方法と装置は、受信した光パワーをモニタリングし、受信した光パワーに基づいて判定電気レベルの初期値を設定することで、光パワーの変化により長時間判定電気レベルの初期値を捜索してシステム・トランザクションの中断を引き起こすことを免れ、システムの安定性を大きく向上させることを目的とする。
【課題を解決するための手段】
【０００５】
上述した発明の目的を達成するために、本発明の一つの方面に係る受信機の判定電気レベルを最適に調整する方法は、
光受信機が受信した光パワーをモニタリングし、光パワーの変化幅が予め設定された数値より大きいかどうかを判断し、判断結果が「是」であれば、光パワーに基づいて判定電気レベルの現在の初期値を更新し、光受信機の出力端から、伝送されたシグナルの誤差シグナルを取得し、誤差シグナルに基づいて判定電気レベルを調整する必要があるかどうかを判断し、判断結果が「是」であれば、現在の初期値に基づいて誤差シグナルに対して更なる分析を行い、分析結果を取得し、判断結果が「否」であれば、直ちに実行プログラムから抜け出し、分析結果に基づいて、現在の初期値から前記判定電気レベルを調整すること、を含む。
【０００６】
最適には、光受信機が受信した光パワーをモニタリングするステップの前に、シグナル損失LOSとフレーム損失LOF状態のモニターを行って、LOSまたはLOFの状況が存在するかどうかを判断し、判断結果が「是」であれば、実行プログラムからエグジットするステップをさらに含む。
【０００７】
最適には、現在の初期値から判定電気レベルを調整するステップの後に、改めて、光受信機の出力端から、伝送されたシグナルの誤差シグナルを取得するステップをさらに含む。
【０００８】
最適には、分析結果を取得するステップは、判定電気レベルの調整方向を確定し、及び判定電気レベルの調整幅を確定することを含む。
【０００９】
最適には、判定電気レベルの調整幅を確定するステップは、誤差シグナルに基づいて判定電気レベルの調整幅を計算し、誤差シグナルが比較的大きい時、比較的大きい調整幅を取得し、誤差シグナルが比較的小さい時、比較的小さい調整幅を取得することを含む。
【００１０】
最適には、判定電気レベル調整幅を確定するステップは、プリストアした調整幅データから判定電気レベルの調整幅の数値を読み取ることを含む。
【００１１】
本発明の別の方面に係る受信機の判定電気レベルを最適に調整する装置は、
受信パワーモニターモジュール、初期値設定モジュール、誤差シグナル取得モジュール、誤差シグナル分析モジュール、判定電気レベル調整モジュールを含む。その中、受信パワーモニターモジュールは、光受信機が受信した光パワーをモニタリングすることに用いられる。
【００１２】
初期値設定モジュールは、受信パワーモニターモジュールに接続され、光パワーと予め設定した数値を比較し、比較結果に基づいて判定電気レベルの現在の初期値に対して改めて調整し設定することに用いられる。誤差シグナル取得モジュールは、光受信機の出力端に接続され、前記光受信機から、伝送されたシグナルの誤差シグナルを取得することに用いられる。誤差シグナル分析モジュールは、誤差シグナル取得モジュールに接続され、誤差シグナルに基づいて、判定電気レベルを調整する必要があるかどうかを判断し、かつ誤差シグナルに対して更なる分析を行い、分析結果を取得することに用いられる。判定電気レベル調整モジュールは、誤差シグナル分析モジュールに接続され、分析結果に基づいて、現在の初期値から光受信機の判定電気レベルを調整することに用いられる。
【００１３】
最適には、初期値設定モジュールが現在の初期値を調整して設定する方法は、係数の修正の方式またはプリストアしたデータテーブルから読み取る方式であり、プリストアデータテーブルのデータは実験によって得た異なる光パワー下での判定電気レベル初期値の最適な数値である。
【００１４】
最適には、誤差シグナル分析モジュールが取得した分析結果は、判定電気レベルの調整方向と判定電気レベルの調整幅を確定することを含む。
【００１５】
最適には、判定電気レベル調整幅は、誤差シグナルに基づいて計算して取得され、またはプリストアした調整幅データから取得される。
【００１６】
最適には、誤差シグナルが前方誤り訂正数、ビットエラー率、Q値を含む。
【００１７】
上術した技術案のうちの少なくとも一つの技術案は、以下の有益な効果を持っている。本発明を採用した方法と装置と、現有の技術とを比べると、受信光パワーをモニタリングする方法を採用して判定電気レベルの初期値に対して設定を行い、受信した光パワーに基づいて判定電気レベルを最適に調整し、特に自動ゲイン制御機能なしの受信機に対して受信光パワーモニターの設置と判定電気レベル初期値の設定の部分が自動ゲイン制御の機能を加えることに相当するから、パワー変化によるシステムサービスの中断を免れて、システムの安定性を大きく向上させる。
【００１８】
本発明の他の特徴と利点については、その後の明細書において詳しく述べ、かつ一部的に明細書から明らかになり、または本発明の実施よりわかることになる。本発明の目的と他の利点は、書かれた明細書、特許請求の範囲、及び付図において特に指摘した構造によって実現して取得されることができる。
【００１９】
付図は本発明について更なる理解を提供し、かつ明細書の一部を構成し、本発明の実施例とともに本発明を理解することに用いられ、本発明に対する制限にはならない。
【図面の簡単な説明】
【００２０】
【図１】本発明の具体的な実施例に係る受信機の判定電気レベルを最適に調整する方法のフローチャートである。
【図２】本発明の具体的な実施例に係る受信機の判定電気レベルを最適に調整する装置の構造を示す図である。
【図３】本発明の具体的な実施例に係る受信機の判定電気レベルを最適に調整する装置の第一実施例の構造を示す図である。
【発明を実施するための形態】
【００２１】
機能の概述
本発明の具体的な実施例において、光受信器が受信した光パワーに対してモニターを行い、かつ光パワーの変化幅が予め設定した数値より大きいかどうかを判断し、受信した光パワーの変化幅が予め設定した数値より大きい場合、現在の判定電気レベル値の偏差が大きすぎてシステムのLOFを引き起こす可能性があると考えられ、そこで、現在の受信した光パワーを基にして判定電気レベルの現在の初期値を更新して設定する。また、光受信機から取得された伝送シグナルの誤差シグナルに基づいて、判定電気レベルを調整する必要があるどうかを判断し、判断結果が、判定電気レベルを調整する必要があるとするものであれば、現在の初期値に基づいて誤差シグナルに対して更なる分析を行い、分析結果を取得する。最後に、分析結果に基づいて、現在の初期値から判定電気レベルを最適に調整する。
【００２２】
本発明の目的、技術案と利点をより明らかにするため、以下に付図及び具体的な実施例を結び付けて本発明に対して詳しく説明する。ここで説明する最適な実施例は本発明に対する説明（説明と解釈）に過ぎず、本発明を限定するものではないと理解すべきである。矛盾しない限り、本発明の実施例及び実施例における特徴は互いに組み合わせることができる。
【００２３】
図１は本発明の具体的な実施例に係る受信機の判定電気レベルを最適に調整する方法のフローチャートである。図１を参照して、当該方法は、ステップS101から始まる。その後でまず受信機がシグナル損失（LOS）又はフレーム損失（LOF）の状態にあるかどうかを判断し、LOS又はLOFのいずれかが現れると、通信システムが異常と考えられ、以下のように受信機の判定電気レベルを最適に調整することを実行するステップからエグジットする。このために、ステップS102において、まず、通信システムのLOS状態情報を読み取る。
【００２４】
S103において、読み取ったLOS状態情報に基づいて、通信システムがLOS状態にあるかどうかを判断し、判断結果が「是」であれば、流れは終了し、ステップS115を実行する。
【００２５】
判断結果が「否」であれば、流れは引き続いてステップS104を実行する。
【００２６】
S104において、通信システムのLOF状態情報を読み取る。
【００２７】
S105において、読み取ったLOF状態情報に基づいて、通信システムがLOF状態にあるかどうかを判断し、判断結果が「是」であれば、流れは終了し、ステップS115を実行する。
【００２８】
判断結果が「否」であれば、流れは引き続いてステップS106を実行する。
【００２９】
S106において、受信機は受信した光パワーをモニタリングする。
【００３０】
S107において、受信した光パワーの変化幅が予め設定した数値aより大きいかどうかを判断し、大きいならば、現在の判定電気レベル値の偏差が比較的大きくてシステムLOFを引き起こしやすいと考え、流れはS108に入り、小さいならば、現在の光パワーの変化幅は比較的小さくてLOF状況は現れないと考え、判定電気レベルの現在の初期値を改めて設定する必要はなく、プロセスはS109に入る。
【００３１】
S108において、現在受信した光パワーの変化幅に基づいて、判定電気レベルの現在の初期値を改めて設置し、現在の初期値を調整して設定する方法としては、係数修正の方式により、判定電気レベルの調節可能な範囲の中央値に、異なる光パワー下では異なる係数をかけて現在の初期値を取得することができ、また、プリストアデータテーブルから読み取ることで取得してもよく、当該プリストアデータテーブルのデータは、実験によって得た、異なる光パワー下での判定電気レベル初期値の最適な数値である。
【００３２】
S109において、受信機の出力端から光電変化後のシグナルの誤差シグナルを取得し、当該誤差シグナルは、システム伝送性能の情報、例えば、ビットエラー率、前方誤り訂正数、Q値などを表象することができるもので、その後、流れはS110に入る。
【００３３】
S110において、S109で取得した誤差シグナルに対して分析を行う。
【００３４】
S111において、S110の分析結果に基づいて、判定電気レベルを調節する必要があるかどうかを判断し、判断結果が「是」であれば、流れはS112に入り、判断結果が「否」であれば、S115に入り、流れは終了し、判定電気レベルを調整する必要はない。
【００３５】
S112において、調整が必要な判定電気レベルの調整方向と調整幅を確定するように、S108で取得した判定電気レベルの現在の初期値とS109で取得した誤差シグナルに基づいて、誤差シグナルに対して更なる分析を行う。
【００３６】
S113において、調整方向と調整幅を確定し、当該調整幅は誤差シグナルの数値の大きさに基づいて計算して得られる動的変化値であってよい。例えば、ビットエラー率で誤差シグナルを表象するとき、判定電気レベルの調整の初期段階において、ビットエラー率が比較的大きければ、比較的大きい調整幅値で調整を行い、判定電気レベルの調整につれて、ビットエラー率が小さくなると、比較的小さい調整幅値で調整を行う。当該調節プロセスにおいて、調整幅の動的変化はビットエラー率の変化に基づいて計算して取得したものであってもよく、また、実験結果によるデータを利用して、誤差シグナルの数値の大きさに応じて調整幅数値をプリストアし、ストアしたデータから取得したものであってもよい。
【００３７】
S114において、S113で確定した判定電気レベルの調整方向と調整幅に基づいて、S108で取得した判定電気レベルの現在の初期値から判定電気レベルに対して最適に調整する。また、S114の実行が終了した後、流れはS109に戻り、次の時刻の誤差シグナルをモニタリングして、適時に判定電気レベルを最適に調整する。
【００３８】
最後に、当該流れは、S115で終了する。
【００３９】
このほか、ここで説明することが必要なのは、上述した受信機の判定電気レベルを最適に調整する方法において、実行されるS106では、受信機が受信した光パワーに対するモニターがリアルタイムに行われているので、いったん光パワーの変化幅値が予め設定した数値aより大きいとモニタリングされると、直ちに図２に示すフローチャートの以下の流れに入り、S108が実行され、現在の受信された光パワーの変化幅に基づいて、判定電気レベルの現在の初期値が改めて設置される。
【００４０】
本発明の具体的な実施例の他の一つの方面に係る受信機の判定電気レベルを最適に調整する装置は、その構造が図２に示すようなものである。現有のデジタル通信システム分野において、通常使用する受信機は、以下のパーツを含む。
【００４１】
光検出器は、光シグナルを受信し、かつ光シグナルと電気シグナルの変換を行うことに用いられ、通常はフォトダイオードまたはアバランシェフォトダイオードであり、出力する光電流の大きさが平均光パワーと正比例する。
【００４２】
トランスインピーダンス増幅器は、光検出器が出力した微弱シグナルを線形で増幅することに用いられる。
【００４３】
振幅制限増幅器は、トランスインピーダンス増幅器が出力したシグナルを振幅制限で増幅することに用いられる。
【００４４】
判定／クロックデータ回復ユニットは、フィルター、データとクロック回復、判定、デマルチプレクサーなどの機能モジュールを含んで、光検出器により光電変換された後のシグナルが振幅制限増幅器、判定／クロックデータ回復ユニットを経由して判定／クロックデータ回復ユニットより出力される。
【００４５】
本発明の具体的な実施例に係る受信機の判定電気レベルを最適に調整する装置は、以下のモジュールを含む。
【００４６】
受信パワーモニターモジュールは、入力端が受信機の光検出器に接続されて、光受信機が受信した光パワーの大きさをモニタリングし、光パワーの大きさを表象する光パワーモニターシグナルを初期値設定モジュールに出力する。
【００４７】
初期値設定モジュールは、受信パワーモニターモジュールに接続されて、受信パワーモニターモジュールが提供した光パワーモニターシグナルを予め設定した数値aと比較し、受信した光パワーモニターシグナルの変化幅が当該数値aより大きいと判断したら、現在の判定電気レベル値の偏差が比較的大きくてシステムLOFを引き起こしやすいと考えられ、当該初期値設定モジュールが受信光パワーの違いに応じて判定電気レベルの現在の初期値の設定に対して調整を行う。調整の方法はテーブル検索または係数修正などの方式であってもよい。調整の根拠とパラメータの選択は実験データでのテーブル作成またはデータフィッティングなどで取得される。初期値設定モジュールは、新たに設定した受信光パワーの大きさに対して修正した判定電気レベルの現在の初期値を判定電気レベルの調整開始の初期値として誤差シグナル分析モジュールより判定電気レベル調整モジュールに伝送する。
【００４８】
誤差シグナル取得モジュールは、受信機の判定／クロックデータ回復ユニットに接続されて、受信機の出力シグナルから通信システムの伝送性能を表象できる情報、例えば、ビットエラー率、前方誤り訂正数、Q値などを誤差シグナルとして取得し、かつ取得した誤差シグナルを誤差シグナル分析モジュールに伝送する。
【００４９】
誤差シグナル分析モジュールは、誤差シグナル取得モジュールに接続され、誤差取得モジュールで取得された誤差情報を分析し、判定電気レベルに対して調整を行う必要があるかどうかを判断し、かつさらに誤差シグナルに対して分析して分析結果を取得する。判定電気レベルを調整する必要があると判断したら、当該誤差シグナル分析モジュールがさらに設定した判定電気レベルの現在の初期値に基づいて、判定電気レベルの調整方向と調整幅を分析して確定し、分析して得た判定電気レベル調整方向と調整幅の関連情報を判定電気レベル調整モジュールに伝送する。判定電気レベルの調整幅は誤差シグナルに基づいて分析し計算して取得することができ、プリストアの調整幅数値より、ストアしたデータから読み取って取得してもよい。
【００５０】
判定電気レベル調整モジュールは、誤差シグナル分析モジュールに接続されて、誤差シグナル分析モジュールが伝送した調整方向と調整幅に基づいて、初期値設定モジュールが設定した現在の初期値から受信機の判定電気レベルを最適に調整する。
【００５１】
以下、本発明に係る受信機の判定電気レベルを最適に調整する装置の一つの実施例を説明する。図３は当該実施例に係る受信機の判定電気レベルを最適に調整する装置の構造を示す図である。図３に示すように、受信機の光電検出器はフォトダイオード１を採用し、フォトダイオード１とトランスインピーダンス増幅器の間にサンプリングレジスタンス２を導入し、当該サンプリングレジスタンス２がフォトダイオード１が出力したフォトカレントを電圧に変換し、受信光パワーモニターモジュールが当該サンプリングレジスタンス２の両端に接続され、当該サンプリングレジスタンス２両端の電圧に基づいて受信した光パワーの変化状況がモニタリングされる。受信光パワーモニターモジュールは、一つのマイクロプロセッサーに接続されて、サンプリングレジスタンスが出力した電圧に対して増幅、フィルタなどの処理を行った後、受信した光パワーの情報を当該マイクロプロセッサーに出力する。当該マイクロプロセッサーは、受信光パワーの変化幅が予め設定した数値aを超えることを検出すると、現在の判定電気レベルの初期値を更新して設定する。
【００５２】
本発明の具体的な実施例において、誤差シグナル取得モジュールは、前方誤り訂正ユニットであって、前方誤り訂正ユニットが出力した訂正情報を判定電気レベル最適化調整の誤差情報として採用する。受信機の前方誤り訂正ユニットによって訂正された０の計数値と訂正された１の計数値との差は、判定電気レベルと単調に対応する関係があるので、訂正された０の計数値と訂正された１の計数値との差を判定電気レベル調整の根拠にし、その目標は、訂正された０の計数値と訂正された１の計数値との差を最小にさせる、即ち、ビットエラー率を最小にさせることである。光通信システムにおけるシグナル１とシグナル０とは等確率なので、シグナル１とシグナル０のビットエラー率が等しい時には判定電気レベルが最適であって、この時、システムは、最小ビットエラー率を実現できる。前方誤り訂正システムにおいて、判定電気レベルが最適な判定電気レベルより高い時、訂正された１の個数は訂正された０の個数より多い。反対に、判定電気レベルが最適な判定電気レベルより低い時、訂正された０の個数は、訂正された１の個数より多い。従って、本発明の実施例では、訂正された１と訂正された０の個数の差を判定電気レベルの調整の根拠にできる。
【００５３】
図３に示すように、フォトダイオード１で光電変換したシグナルは、サンプリングレジスタンス、トランスインピーダンス増幅器、振幅制限増幅器を経由した後、判定／クロックデータ回復ユニットより前方誤り訂正ユニットに出力される。当該前方誤り訂正ユニットの出力端は、マイクロプロセッサーに接続され、訂正された１と訂正された０の個数差をマイクロプロセッサーに入力し、当該マイクロプロセッサーによって判定電気レベルを調整する必要があるかどうかを判断する。このほか、当該マイクロプロセッサーに異なる光パワー下での最適な判定電気レベルデータテーブルが保存されており、当該テーブルのデータは、実験によって取得された最適な判定電気レベル数値であり、マイクロプロセッサーは、現在の判定電気レベルの初期値と取得した誤差シグナルに基づいて、当該テーブルに現在の光パワー下での最適な判定電気レベル数値を読み取り、かつ判定電気レベルの調整に必要な方向と幅を確定する。
【００５４】
ここで、当該マイクロプロセッサーの出力端は、判定電気レベル調整ユニットに接続され、当該判定電気レベル調整ユニットによってマイクロプロセッサーが伝送した判定電気レベルの調整方向と調整幅に基づいて判定電気レベルに対して調整を行い、当該調整された判定電気レベル数値を判定／クロックデータ回復ユニットにフィード・バックする。
【００５５】
本発明の具体的な実施例に係る受信機の判定電気レベルを最適に調整する装置は、自動ゲイン制御なしの受信機に対して、受信光シグナルのパワーが比較的大きく変化した場合、受信光パワーモニターモジュールが光パワーの変化値がある設定数値を超えたと検出した時、テーブル検索で判定電気レベルの初期値を取得することができ、当該初期値は、実験によって取得されて、新しいパワー下でのより適切な判定電気レベル値であり、この時にシステムにLOSまたはLOFが現れないことを十分に保証できる。このように、この初期値を基にして、さらに前方誤り訂正が出力した訂正情報に基づいて、判定電気レベルの最適化を行い、最適な判定電気レベルを取得できる。
【００５６】
上述したのは、本発明の実施形態だけであるが、本発明を限定することに用いられるものではなく、当業者にとっては、様々な変更と変化を実施することができる。実質及び要旨を逸脱しない範囲で、当業者が本発明に対して行った様々の修正、等同切替、改良などは、本発明の特許請求の範囲に含まれると理解すべきである。
【図１】
2012502568.tif 000003
【図２】
2012502568.tif 000004
【図３】
2012502568.tif 000005
【国際調査報告】
2012502568.tif 000006
2012502568.tif 000007
2012502568.tif 000008
2012502568.tif 000009